(57)【要約】  インバータ回路に結合された力率補正回路を備えるランプ用電子バラスト回路を説明する。インバータ回路は、更にトリガ回路に結合され、トリガ回路は、次に制御線により、電源のホット又はニュートラル線に適切に動作可能に結合される。制御線内のスイッチを閉鎖すると、トリガ回路は、コンデンサをインバータ回路内のトランジスタのベース駆動巻線と並列にして、インバータ回路を停止させる。スイッチが開放された時、トリガ回路は停止し、インバータが始動して発振状態に復帰する。【選択図】図１
2010515229.tif 000002
【特許請求の範囲】
【請求項１】
ランプ用のバラスト回路の自動停止及び再始動を促進するシステムであって、
インバータ回路内の第一のトランジスタ用のベース駆動巻線と並列配向で位置決めされたコンデンサと、
前記バラストに電圧を供給する電圧源に結合された制御線と、
インバータの発振の無効化と、前記インバータに結合されたトリガ回路への電圧の供給とを同時に行うために操作される前記制御線内のスイッチと、を備えるシステム。
【請求項２】
前記ランプは、Ｔ５放電ランプである、請求項１記載のシステム。
【請求項３】
前記スイッチは、前記ランプにより照明される領域を監視する運動センサに結合される、請求項１又は２記載のシステム。
【請求項４】
前記スイッチは、前記運動センサが前記監視領域内の在居者の存在を検出しない時に閉鎖される、請求項３記載のシステム。
【請求項５】
前記スイッチが閉鎖された時、前記トリガ回路内の第二のトランジスタは、高ゲート−ソース間電圧を受ける、請求項１乃至４のいずれか1項記載のシステム。
【請求項６】
前記第一のトランジスタは、バイポーラ接合トランジスタ（ＢＪＴ）であり、前記第二のトランジスタは、金属酸化膜半導体電界効果トランジスタ（ＭＯＳＦＥＴ）である、請求項５記載のシステム。
【請求項７】
前記第二のトランジスタの前記高ゲート−ソース間電圧状態により、前記コンデンサは、前記ベース駆動巻線を通る電流を前記第一のトランジスタの前記ベースから離して迂回させる、請求項５記載のシステム。
【請求項８】
前記スイッチが開放された時、前記インバータ回路は動作中の発振状態に復帰し、前記第二のトランジスタの前記ゲート−ソース間電圧は低下する、請求項６記載のシステム。
【請求項９】
前記インバータは、電流型インバータである、請求項１乃至８のいずれか1項記載のシステム。
【請求項１０】
ランプ用のバラスト回路を自動的に停止及び再始動する方法であって、
インバータ回路内のバイポーラ接合トランジスタ（ＢＪＴ）用のベース駆動巻線と並列なコンデンサを利用するステップと、
電圧源から、前記インバータ回路に結合されたトリガ回路へのスイッチ付き制御線を利用するステップと、
前記トリガ回路へ電圧を供給して前記インバータ回路を停止するために前記スイッチを選択的に閉鎖するステップと、を備える方法。
【請求項１１】
更に、前記ランプが照明する領域内に在居者が検出された時、前記スイッチを開状態に維持するステップを備える、請求項１０記載の方法。
【請求項１２】
更に、前記ランプが照明する領域内に在居者が存在しない時、前記スイッチを閉鎖するステップを備える、請求項１０又は１１記載の方法。
【請求項１３】
前記スイッチの閉鎖により、前記トリガ回路内の金属酸化膜半導体電界効果トランジスタ（ＭＯＳＦＥＴ）においてゲート−ソース間電圧が増加する、請求項１２記載の方法。
【請求項１４】
前記トリガ回路トランジスタにおける前記ゲート−ソース間電圧により、前記コンデンサは、前記ベース駆動巻線から電流を引き出して前記ＢＪＴのベースから引き離す、請求項１３記載の方法。
【請求項１５】
更に、前記制御線を前記電圧源のニュートラル端子に接続するステップを備える、請求項１０乃至１４のいずれか1項記載の方法。
【請求項１６】
更に、前記制御線を前記電圧源の通電端子に接続するステップを備える、請求項１０乃至１４のいずれか1項記載の方法。
【請求項１７】
前記インバータ回路は、前記スイッチが開いている時に発振状態にある、請求項１０記載の方法。
【請求項１８】
前記ランプは、Ｔ５放電ランプである、請求項１０乃至１７のいずれか1項記載の方法。
【請求項１９】
ランプ用のバラスト回路内のインバータを選択的に停止及び再始動することを促進するシステムであって、
前記バラスト回路内のインバータに結合されたトリガ回路へ制御信号を提供する手段と、
制御線内のスイッチが閉鎖した時に前記インバータを停止するために、前記インバータ内のトランジスタのベース駆動巻線と並列にコンデンサを設置する手段と、
前記スイッチが開放された時に前記インバータを発振状態にする手段と、を備えるシステム。
【請求項２０】
前記ランプは、Ｔ５放電ランプである、請求項１９記載のシステム。
【発明の詳細な説明】
【技術分野】
【０００１】
本明細書にて開示する態様は、照明器具に関し、特に、放電ランプ用のバラスト回路に関する。
【背景技術】
【０００２】
ランプ及び関連回路を設計する時、経済面の考慮は、最も重要であり、許容できる設計と最適な設定との間の差を意味する場合が多い。多くの場合、ランプサイズ、製造コスト、及び／又はエネルギ効率の一つ以上は、特定のランプ設計に関連するパラメータの大部分を決定する。現代のランプは、多数の設計バリエーションに対応する様々なサイズのものがある。例えば、Ｔ８ランプサイズは、直径約１インチだが、Ｔ１２ランプは、直径約１．５インチである。他のサイズも、設計者及び消費者の必要性に合わせて入手可能である。
【０００３】
ガス放電ランプは、電源又はそれ自体を焼き切るまで、増加する電流量を引き出すことが可能なデバイスである「負性抵抗」デバイスとして知られるものの一例である。こうした放電ランプは、多くの場合、ランプ回路を流れる電流の量を制御するためにバラストを利用する。バラストは、比較的低電力のネオンランプに対して利用されるような、ランプと直列のレジスタ程度の単純なものにしてよい。更に複雑なバラストは、より高電力の用途で使用し得ると共に、コンデンサ及びインダクタ等の共振構成要素を備え得る。一般に、反応性バラストは、単純なレジスタよりも効率的である。
【０００４】
電子バラストは、電子回路を利用して、蛍光灯、高輝度放電ランプ等の電流を安定化させる。電子バラストは、「インスタント」スタート、「ラピッド」スタート、及び「プログラム」スタートを含む幾つかの始動手法の一つを使用して始動し得る。インスタントスタートは、関連する陰極を予熱することなくバラストを始動及び動作させるため、短時間でランプを始動し、その結果、始動のエネルギコストは低くなるが、始動方法の乱暴な性質のため、他の始動プロトコルよりも急速にランプを損耗させる。ラピッドスタート手法は、バラストの始動と陰極の加熱とを同時に行い、結果として、相対的に長い始動時間が生じる一方、コールドスタートがランプの陰極に与える悪影響を軽減する。最後に、プログラムスタート手法は、頻繁に切り替えを行う用途向けにランプ寿命を増加させる低いグロー放電電流での陰極余熱期間を採用する。
【先行技術文献】
【特許文献】
【０００５】
【特許文献１】米国特許第6137233号明細書
【特許文献２】米国特許出願公開第2006/113923号明細書
【発明の概要】
【発明が解決しようとする課題】
【０００６】
エネルギ効率に関して、ランプ及び／又はバラストは、電力損失を最小化すると共に、ランプ及び／又はバラストが消費する電力を効果的に最小化するように設計し得る。製造コストの場合、特定の機能を実行するために必要な回路構成要素数を最小化すると共に、多数の最も安価な部品を使用して特定の機能を実行するように回路を設計し、集積回路等のコストの高い構成要素を回避することが望ましい場合がある。バラストサイズについては、空間の保存が課題となる用途におけるバラストの利用を促進するために、特定の機能を実行するために可能な限り小さな空間を占有する回路を設計することが望ましい場合がある。上記に関連する欠点を克服することを促進するシステム及び／又は方法について、この技術には満たされていない必要性が存在する。
【課題を解決するための手段】
【０００７】
一つ以上の態様によれば、ランプ用のバラスト回路の自動停止及び再始動を促進するシステムは、インバータ回路内の第一のトランジスタ用のベース駆動巻線と並列配向で位置決めされたコンデンサと、前記バラストに電圧を供給する電圧源に結合された制御線と、インバータの発振の無効化と、前記インバータに結合されたトリガ回路への電圧の供給とを同時に行うために操作される前記制御線内のスイッチとを備える。
【０００８】
別の態様によれば、ランプ用のバラスト回路を自動的に停止及び再始動する方法は、インバータ回路内のバイポーラ接合トランジスタ（ＢＪＴ）用のベース駆動巻線と並列なコンデンサを利用するステップと、電圧源から、前記インバータ回路に結合されたトリガ回路へのスイッチ付き制御線を利用するステップと、前記トリガ回路へ電圧を供給して前記インバータ回路を停止するために前記スイッチを選択的に閉鎖するステップとを備える。
【０００９】
他の特徴によれば、ランプ用のバラスト回路内のインバータを選択的に停止及び再始動することを促進するシステムは、前記バラスト回路内のインバータに結合されたトリガ回路へ制御信号を提供する手段と、制御線内のスイッチが閉鎖した時に前記インバータを停止するために、前記インバータ内のトランジスタのベース駆動巻線と並列にコンデンサを設置する手段と、前記スイッチが開放された時に前記インバータを発振状態にする手段とを備える。
【図面の簡単な説明】
【００１０】
【図１】バラスト用のライン制御ステップレベル切り替え機構を提供することで、バラストが照明システムのバイレベル制御を可能にするバラストトポグラフィの概略図である。
【図２】出力分離用の光結合器を有するＥＯＬ停止保護回路を示すバラストトポグラフィの概略図である。
【図３】本明細書において説明した一つ以上の特徴による、製造コスト、エネルギ消費、及びデバイスサイズを低減する目的で複数のインバータが単一の力率補正（ＰＦＣ）回路に結合された高レベルバラスト配列を示す図である。
【図４】様々な態様による、ランプバラスト用の制御線ステップ切り替えを実行するための方法を示す図である。
【図５】並列コンデンサ及びＢＪＴにより、アクティブ段階中にインバータの発振が可能となるように、バラスト回路のインバータ部内においてＢＪＴデバイスと並列なコンデンサを利用するための方法を示す図である。
【発明を実施するための形態】
【００１１】
本明細書において説明した様々な態様及び特徴によれば、照明システムによるエネルギ消費を低減することを促進するシステム及び方法が提示される。こうした態様及び特徴は、例えば、特定のランプバラスト回路に関連する一個以上のランプをオフにすること及び／又は電力消費量を低減するために特定のランプの出力レベルを落とすことにより、負荷電力消費量を低減することを含み得る。こうした目的を達成するために、ホット又はニュートラル電力線にスイッチを接続すること等により、ランプバラスト回路に制御点を挿入し得る。
【００１２】
本明細書では、バラスト及び／又は関連するランプ用の停止−起動プロトコルを実行することを促進する電子バラストを説明する。例えば、電子バラストは、トリガスタート型自己発振電子バラストにしてよく、制御対象のデバイスがフローティングゲートデバイスであっても、必要に応じて、集積回路無しで、幾つかの受動部品と能動切り替え装置とを使用して制御し得る。回路内においてベース駆動巻線と並列に始動コンデンサを配置することで、インバータの発振とトリガ回路とを同時に制御し得る。したがって、バラストを停止した後、反復的なトリガを軽減し得る。加えて、類似及び／又は同一の制御手法をランプ寿命末期（ＥＯＬ）保護回路に使用することができる。
【００１３】
バイレベル制御は、その簡素性及び費用効率のため、高輝度放電（ＨＩＤ）ランプシステムにおいて普及している。この制御は、低コストでエネルギ節約度が高いことから、電子バラストを有する蛍光放電照明システムにおいても人気を得ている。様々な特徴によれば、Ｔ５ランプ用等として利用し得る電流型自己発振プログラムスタートバラストが説明され、高価になりがちな従来の集積回路（ＩＣ）制御バラストに付随する問題点を軽減する形で設計される。更に、ＩＣ駆動バラストは、照明システムの動作条件に対して堅牢性が低くなる傾向にあり、そのため、非ＩＣ駆動バラストに比べ故障率が高くなる。一部のシステムでは、切り替え線からニュートラル線への接続を行った時に、バラスト制御ＩＣへ信号が供給される。バラストは、制御ＩＣの出力を無効化することで信号に応答し、これにより、ＩＣにより制御されるランプを停止する。
【００１４】
図１を参照すると、バラストトポロジ１００の概略図を示しており、バラストは、バラスト１００用のライン制御ステップレベル切り替え機構を提供することで、照明システムのバイレベル制御を可能にする。例えば、在室者の存在しない室内等、エネルギ節約のためランプをオフにすることが望ましいケースにおいて、バラスト１００は、ランプの停止を促進し得る。バラスト１００は、Ｔ５放電ランプ、及びＴ８、Ｔ４、Ｔ３、Ｔ２を含む他のサイズの放電ランプと、ライン制御ステップレベル切り替えが望ましい他の任意のサイズのランプと共に利用し得る。バラスト１００は、第一の組の構成要素を含む入力及び力率制御（ＰＦＣ）部１０２と、インバータ部１０４とを備える。入力ＰＦＣ部１０２は、フルブリッジ整流器（Ｄ１乃至Ｄ４）と、インダクタＬ１と、ダイオードＤ５と、コンデンサＣ１、Ｃ２、Ｃ３と、スイッチＱ１とを含む。インバータ部１０４は、切り替え部（Ｑ２、Ｒ２、Ｗ２）及び（Ｑ３、Ｒ３、Ｗ１）と共に、コンデンサＣ４、Ｃ５、Ｃ６と、インバータＬ２、Ｌ３と、ダイオードＤ６と、ダイアックＤ７と、レジスタＲ４と、巻線Ｔ１とを含む。
【００１５】
ＰＦＣ１０２及びインバータ１０４は、様々な態様による停止／再始動機構の作動を促進する切り替え線１０６により結合される。例えば、切り替え線１０６内のスイッチ１０８は、バラスト１００に関連する一個以上のランプにより照明される領域における在居者の有無を検出する運動センサ等のリモートセンサ（図示無し）により作動させ得る。運動センサが起動した時には、バラストが正常に動作できるようにスイッチ１０８を開状態にし得る。運動センサが起動されない時（例えば、在居者が検出されない時）には、スイッチ１０８を作動させて閉鎖し、上記の事柄を開始させ得る。
【００１６】
例えば、バラスト１００に入力電力を印加すると、コンデンサＣ５は、レジスタＲ４により充電される。Ｃ５全体の電圧がダイアックＤ７の降伏電圧に達すると、高ｄｉ／ｄｔ電流がベース駆動巻線Ｗ１に印加され、インバータの発振を開始させる。ダイオードＤ６は、Ｗ３がオンである時にコンデンサＣ５を放電させる。様々な態様によれば、Ｑ３は、バイポーラ接合トランジスタ（ＢＪＴ）にしてよい。低電圧ＭＯＳＦＥＴ  Ｑ４は、ダイアックＤ７と並列に接続される。ツェナーダイオードＤ８、レジスタＲ５、及びキャパシタＣ７は、互いに並列であり、ゲートからＱ４のソースへ接続される。レジスタＲ１は、切り替え線１０６の一端に接続され、切り替え線１０６の他端は、「ニュートラル」又は「ホット」入力線の何れかに接続される。
【００１７】
切り替え線１０６のスイッチ１０８が「オフ」位置にある時（例えば、スイッチ１０８が開いている時）、トリガ回路１１０のＱ４のゲート−ソース間に渡って電圧は発生しない。そのため、Ｑ４スイッチはオフ位置にあり、電流型インバータ１０４は、通常の動作状態となる。切り替え線１０６がオンである時（或いは、逆論理を利用する場合にはオフである時）、半波整流入力電圧が低減され、平均電圧がスイッチＱ４のゲート−ソース間に印加される。この電圧により、Ｑ４はオンとなり、コンデンサＣ５は、巻線Ｗ１及びレジスタＲ３と並列になる。コンデンサＣ５は、ベース駆動電流をＱ３から事実上迂回させ、インバータの発振は停止する。同時に、スイッチＱ４は、始動レジスタＲ４からコンデンサＣ５へ電圧が蓄積するのを防止する。切り替え線上のスイッチが開放されると、Ｑ４のゲート−ソース間電圧は下降し、Ｑ４がオフとなり、Ｃ５はＲ４により充電可能となり、この時点で、ダイアックＤ７の降伏が生じ、インバータは再始動し、バラストの動作が再開される。
【００１８】
したがって、バラスト１００に電力を印加すると（例えば、バラストに接続された点灯スイッチをオンにすると）、ＰＦＣ区域１０２は、動作可能となる。レジスタＲ４を横断する電流により、コンデンサＣ５が充電される。コンデンサＣ５の電圧がダイアックＤ７の降伏点に達すると、ダイアックＤ７は高福祉、高電流（ｄｉ／ｄｔ）がＱ３のベースに印加され、Ｑ３をオンにする。その後の印加電圧波形の半周期中、Ｑ２はオンとなり、Ｑ３はオフになる。このシーケンスは、スイッチＱ２及びＱ３がそれぞれオン及びオフ状態に入れ替わることで半周期毎に反復され得る。スイッチＱ３がオンになる時は、Ｄ６が伝導状態となるため、コンデンサＣ５は、常に放電を始める。しかしながら、スイッチＱ３がオフになる時、コンデンサＣ５は充電を行う。コンデンサＣ５に関連する時定数はスイッチＱ３がオフ状態になる半周期より長いため、Ｃ５の電圧は、ダイアックＤ７の降伏電圧には達しない。コンデンサＣ５をＱ３のベース駆動巻線Ｗ１と並列に位置決めすることで、Ｑ３のベースを通過する電流は低減され、これにより、Ｑ３をオフにして回路のその部分を停止するため、バラスト１００も停止する。
【００１９】
図２は、上記のバラストトポグラフィ１００に類似したものにし得るバラスト２００のトポグラフィの概略図であり、出力分離用の光結合器２０４を有するＥＯＬ停止保護回路インバータ２０２を示している。バラスト２００は、本明細書において説明した様々な特徴と共に利用し得るランプ寿命末期（ＥＯＬ）保護回路の例を表している。ＥＯＬ停止信号が光結合器２０４の入力側に印加される時、ダイアックＤ７は迂回され、インバータ２０２は停止される。ランプ交換後、コントローラ（ＭＣ）に付随するＥＯＬピンは、低信号（デジタル論理における二進数の０等）を出力し、バラストは再始動し、通常動作が再開される。コンデンサＣ５は、図１について説明したものと同じ並列構成において配向されており、同様に機能することに留意されたい。したがって、コンデンサＣ５のようなコンデンサを利用することで、バラスト２００を必要に応じて停止及び再始動して、バラスト及び／又はランプ結合部を加熱させる恐れのある再トリガ事象を軽減し得る。
【００２０】
図３は、本明細書において説明した一つ以上の特徴による、製造コスト、エネルギ消費、及びデバイスサイズを低減する目的で複数のインバータが単一の力率補正（ＰＦＣ）回路に結合された高レベルバラスト３００配列を示す図である。バラスト３００は、ＰＦＣ回路３０４に適切に動作可能に結合された電圧源３０２を備え、ＰＦＣ回路３０４は更に複数のインバータ回路３０６Ａ乃至３０６Ｎ（インバータ３０６と総称する）に適切に動作可能に関連付けされ、ここでＮは整数である。インバータ３０６は、上記各図の単一インバータ−ＰＦＣバラスト設計について説明したような、ＰＦＣ３０４と特定のインバータ３０６との間の一本以上の物理的結線を表し得る接続３１２を介して、ＰＦＣ３０４に接続される。更に、各インバータ３０６は、スイッチ３１０を有するそれぞれの切り替え線３０８（共にＡ乃至Ｎを付し、Ｎは整数であり、それぞれのインバータ３０６Ａ乃至３０６Ｎに対応する）によりＰＦＣ３０４に接続される。各スイッチ３１０は、各インバータ３０６に関連する一個以上のランプ（図示無し）により照明される領域における在居者の有無を検出する運動センサ等のリモートセンサ（図示無し）からの信号により作動させ得る。
【００２１】
一例によれば、ＰＦＣ回路３０４は、四個のインバータに適切に動作可能に関連付けられ、各インバータは更に二個のランプに接続し得る。各スイッチ３１０は、独立したソース（例えば、センサ）、共通のソース、又はその何らかの順列から信号を受信し得る。例えば、インバータ３０６のうちの二個のスイッチ３１０を共通のソース又はセンサに結合させ、別の二個のインバータ用のスイッチがそれぞれ独立したソースを有するようにして、合計三個のソースが四個のインバータスイッチ３１０に切り替え信号を提供し得る。センサ−スイッチ接続の他の組み合わせも可能であり、本発明の特徴は上記の例に限定されないことは理解されよう。
【００２２】
特定のインバータに関連する特定のランプ又は一対のランプにより照明される領域に在居者が存在しないことをセンサが示した際には、エネルギを節約するために、そのインバータ３０６のスイッチ３１０を閉じ、バラスト、ひいては関連するランプを、停止することが望ましい場合がある。在居者の不在は、動作センサからの信号の欠如により示し得る。例えば、スイッチ３１０は、スイッチに関連する動作センサからの信号が検出される限り開状態を維持し、シグナルが検出されなくなった時に閉鎖し得る。スイッチ３１０の閉鎖は、図１に関して上述した事象を発生させ得る。
【００２３】
図４及び５に関して、本明細書において提示した一つ以上の特徴による、ライン制御ステップレベル切り替えを備えたランプバラストの提供を促進する方法を説明する。方法は、一連の動作を表すフロー図として表現される。しかしながら、説明した革新の様々な態様により、一つ以上の動作は、図示した順序と異なる順序で発生し得ること、及び、一つ以上の他の動作と同時に発生し得ることは理解されよう。更に、一部の態様により、特定の方法は、図示した全ての動作より少ない動作を含む場合があることを理解されたい。
【００２４】
図４は、様々な態様による、ランプバラスト用の制御線ステップ切り替えを実行するための方法４００を示す図である。４０２において、スイッチは、バラストの力率制御（ＰＦＣ）部をバラストのインバータ部に接続する制御信号線内において閉鎖され得る。スイッチの閉鎖は、所定の事象の発生時に起こるように設計し得る。一つ以上の特徴によれば、所定の事象は、リモートセンサからの信号の停止にしてよく、リモートセンサ信号を引き起こす条件が存在しなくなった時に、リモートセンサ信号が停止して、スイッチを閉鎖させるようにしてよい。更に具体的な例によれば、リモートセンサは、インバータに関連するランプにより照明される空間における在居者の存在を検出する運動センサにしてよい。この例では、在居者が存在する限り、運動センサは、信号を中継し、制御線スイッチは開状態を維持する。動作センサが監視する空間から在居者がいなくなると、信号は停止し、スイッチは閉鎖し得る。
【００２５】
本明細書において説明した様々な例及び／又は特徴においては、逆論理も利用し得ることは理解されよう。例えば、単純なロジックインバータをリモートセンサとスイッチとの間に配置し、在居者の検出を、信号の欠如、「低」信号（例えば、二進法のゼロビット）等としてスイッチが感知し、監視空間からの在居者の退出を、「高」信号（例えば、この例では反転した低信号）としてスイッチが感知し得るようにしてもよい。本明細書での使用において、「低」及び「高」は、それぞれ二進数の０及び１に関連する場合があり、追加として、或いは代わりに、それぞれの信号がセンサからスイッチへ中継される際の電圧及び／又は電流の大きさを表す場合がある。
【００２６】
４０４では、スイッチの閉鎖により、切り替え線とインバータとの間に接続されたＭＯＳＦＥＴデバイスのゲート−ソース部に電圧が印加され、これにより、図１に関して上述したように、コンデンサは、インバータ回路内のＢＪＴのベース接合部に対するベース駆動巻線と並列になる。コンデンサは、電流をベース駆動巻線から引き離し、これにより、インバータを停止させ得る（例えば、インバータの発振が停止する）。４０６において、スイッチは、再び開放され得る（例えば、上記の例によれば、在居者の存在の検出による）。スイッチの開放により、ＭＯＳＦＥＴのゲート−ソース間電圧は低下し、インバータは４０８において再始動される。
【００２７】
図５は、並列コンデンサ及びＢＪＴにより、アクティブ段階中にインバータの発振が可能となるように、バラスト回路のインバータ部内においてＢＪＴデバイスと並列なコンデンサを利用する方法５００を示す図である。５０２において、力率補正部及びインバータ部を備え得るランプバラスト回路に対して、電力を印加し得る。インバータは、上述のように、切り替え線内のスイッチの閉鎖時にインバータを停止可能な切り替え線に接続し得る。インバータがオンである時、並列コンデンサは、並列コンデンサとＢＪＴとの間のダイアックの降伏電圧に達するまで、充電が可能になり、降伏電圧に達すると、５０４において、ダイアックはＢＪＴへ電流を送り、その動作を可能にする。ＢＪＴは、例えば、図１に関して上述した構成要素Ｑ３にし得る。
【００２８】
５０６において、並列コンデンサは、Ｑ３であるＢＪＴがオンである間に放電が可能となり、この期間はＱ３に到達する高周波波形の第一の半周期に関連する期間となり得る。第一の半周期の終わりに、５０８においては、Ｑ３をオフにして、上述の構成要素Ｑ２等の第二のＢＪＴを、波形の第二の半周期の期間に渡ってオンにし得る。５１０において、第二の半周期中、並列コンデンサは、レジスタＲ４により充電可能とし得る。５１２において、後続の（例えば、波形の次の期間の）第一の半周期の開始時には、Ｑ２をオフに、Ｑ３を再度オンにし得るようになり、この時点で、並列コンデンサは、Ｄ６により放電を開始する。方法は、その後、５０６へ戻り、バラストのインバータ部を更に反復及び発振させ得る。このようにして、回路のインバータ部は、切り替え線内のスイッチが閉鎖されインバータをオフにする前、オン状態を維持し得る。
一つ以上の態様に従い、様々な構成要素に関連し得る値の例を以下に示す。しかしながら、以下の値は例示の目的でのみ提示されており、対象構成要素は、こうした値に限定されるのではなく、上記の目的を達成し且つ本明細書において説明した機能を提供するために、任意の適切な値を備え得ることを理解されたい。
【００２９】
【表１】
2010515229.tif 000003
図２の構成要素は、一つ以上の例により、以下の値を備え得る。
【００３０】
【表２】
2010515229.tif 000004
上記の概念は、様々な態様を参照して説明してきた。当然のことながら、上記の詳細な説明を読み理解することで、他者は修正及び変更を想到し得よう。上記概念は、こうした全ての修正及び変更を含むものと解釈されるべきである。
【図１】
2010515229.tif 000005
【図２】
2010515229.tif 000006
【図３】
2010515229.tif 000007
【図４】
2010515229.tif 000008
【図５】
2010515229.tif 000009
【国際調査報告】
2010515229.tif 000010
2010515229.tif 000011